(57)【特許請求の範囲】
【請求項１】
少なくとも１台の照明器具の点灯状態を示すシーン情報をユーザの操作に従って登録し、登録されたシーン情報が示す点灯状態を時刻とシーン情報とが対応付けられたスケジュールに応じて再現する照明制御方法であって、
登録された複数のシーン情報のそれぞれが示す点灯状態を再現する時間と、順序とを示すスライドショー情報をユーザの操作に従って登録し、
登録されたシーン情報またはスライドショー情報を呼び出し、
呼び出した情報がシーン情報である場合、指定された終了時刻まで当該シーン情報が示す点灯状態を再現し、
呼び出した情報がスライドショー情報である場合、当該スライドショー情報が示す複数のシーン情報のそれぞれが示す点灯状態を、当該スライドショー情報が示す順序に応じて、それぞれ当該スライドショー情報が示す時間の間再現することを、指定された終了時刻まで繰り返す、
照明制御方法。
【請求項２】
前記スケジュールには、さらに、時刻とスライドショー情報とが対応付けられており、
前記スケジュールに応じて、登録されたシーン情報またはスライドショー情報を呼び出す、
請求項１に記載の照明制御方法。
【請求項３】
ユーザによってスイッチが操作された場合、スライドショー情報を呼び出す、
請求項１または２に記載の照明制御方法。
【請求項４】
前記シーン情報には、前記照明器具を示す情報と、当該照明器具が出力する光の調光率を示す情報と、当該照明器具が出力する光の色温度を示す情報とが含まれる
請求項１〜３のいずれか１項に記載の照明制御方法。
【請求項５】
少なくとも１台の照明器具の点灯状態を示すシーン情報をユーザの操作に従って登録し、登録されたシーン情報が示す点灯状態を時刻とシーン情報とが対応付けられたスケジュールに応じて再現するスケジュールコントローラであって、
登録された複数のシーン情報のそれぞれが示す点灯状態を再現する時間と、順序とを示すスライドショー情報をユーザの操作に従って登録し、
登録されたシーン情報またはスライドショー情報を呼び出し、
呼び出した情報がシーン情報である場合、指定された終了時刻まで当該シーン情報が示す点灯状態を再現し、
呼び出した情報がスライドショー情報である場合、当該スライドショー情報が示す複数のシーン情報のそれぞれが示す点灯状態を、当該スライドショー情報が示す順序に応じて、それぞれ当該スライドショー情報が示す時間の間再現することを、指定された終了時刻まで繰り返す、
スケジュールコントローラ。
【請求項６】
前記少なくとも１台の照明器具と、
請求項５に記載のスケジュールコントローラと、を備える、
照明システム。
【発明の詳細な説明】
【技術分野】
【０００１】
本発明は、照明器具の点灯状態を予め定められたスケジュールに応じて再現するスケジュールコントローラ、照明システム及び照明制御方法に関する。
【背景技術】
【０００２】
従来、照明器具の点灯状態をシーンとして登録し、登録したシーンを予め定められたスケジュールに応じて再現するスケジュールコントローラが知られている。特許文献１には、このようなスケジュールコントローラに関する技術が記載されている。
【先行技術文献】
【特許文献】
【０００３】
【特許文献１】特開２００８−１３５２２８号公報
【発明の概要】
【発明が解決しようとする課題】
【０００４】
ところで、スケジュールコントローラが照明器具の点灯状態を予め定められたスケジュールに応じて再現するために、所定の時刻に所定のシーンを再現するための設定がされる。しかしながら、従来のスケジュールコントローラでは、所定数のシーンを、それぞれ秒単位で順番に再現することを所定の時刻まで繰り返す場合、シーンを時刻に対応付ける設定に手間が掛かってしまう。例えば、０時から１２時まで、３つのシーン（例えばシーンａ、シーンｂ及びシーンｃ）が１０秒毎に繰り返し再現される場合、０時０分０秒にシーンａ、０時０分１０秒にシーンｂ、０時０分２０秒にシーンｃ、０時０分３０秒にシーンａ、・・・１１時５９分２０秒にシーンｃ、１１時５９分３０秒にシーンａ、１１時５９分４０秒にシーンｂ、１１時５９分５０秒にシーンｃと、例えば数千個の設定をする必要がある。このように、照明器具の点灯状態を短時間で変化させて再現するための設定に手間が掛かってしまい、さらに、設定データの容量が大きくなってしまう。
【０００５】
そこで本発明は、照明器具の点灯状態を短時間で変化させて再現するための設定の簡略化及び設定データの容量の削減ができるスケジュールコントローラ、照明システム及び照明制御方法を提供することを目的とする。
【課題を解決するための手段】
【０００６】
本発明の一態様に係る照明制御方法は、少なくとも１台の照明器具の点灯状態を示すシーン情報をユーザの操作に従って登録し、登録されたシーン情報が示す点灯状態を時刻とシーン情報とが対応付けられたスケジュールに応じて再現する照明制御方法であって、登録された複数のシーン情報のそれぞれが示す点灯状態を再現する時間と、順序とを示すスライドショー情報をユーザの操作に従って登録し、登録されたシーン情報またはスライドショー情報を呼び出し、呼び出した情報がシーン情報である場合、指定された終了時刻まで当該シーン情報が示す点灯状態を再現し、呼び出した情報がスライドショー情報である場合、当該スライドショー情報が示す複数のシーン情報のそれぞれが示す点灯状態を、当該スライドショー情報が示す順序に応じて、それぞれ当該スライドショー情報が示す時間の間再現することを、指定された終了時刻まで繰り返す。
【０００７】
本発明の一態様に係るスケジュールコントローラは、少なくとも１台の照明器具の点灯状態を示すシーン情報をユーザの操作に従って登録し、登録されたシーン情報が示す点灯状態を時刻とシーン情報とが対応付けられたスケジュールに応じて再現するスケジュールコントローラであって、登録された複数のシーン情報のそれぞれが示す点灯状態を再現する時間と、順序とを示すスライドショー情報をユーザの操作に従って登録し、登録されたシーン情報またはスライドショー情報を呼び出し、呼び出した情報がシーン情報である場合、指定された終了時刻まで当該シーン情報が示す点灯状態を再現し、呼び出した情報がスライドショー情報である場合、当該スライドショー情報が示す複数のシーン情報のそれぞれが示す点灯状態を、当該スライドショー情報が示す順序に応じて、それぞれ当該スライドショー情報が示す時間の間再現することを、指定された終了時刻まで繰り返す。
【０００８】
本発明の一態様に係る照明システムは、前記少なくとも１台の照明器具と、上記スケジュールコントローラと、を備える。
【発明の効果】
【０００９】
本発明に係るスケジュールコントローラ、照明システム及び照明制御方法によれば、照明器具の点灯状態を短時間で変化させて再現するための設定の簡略化及び設定データの容量の削減ができる。
【図面の簡単な説明】
【００１０】
【図１】実施の形態に係る照明システムの構成図である。
【図２】実施の形態に係るシーン情報の一例を示す図である。
【図３】実施の形態に係るスライドショー情報の一例を示す図である。
【図４】実施の形態に係るスケジュールコントローラの動作を示すフローチャートである。
【図５】実施の形態に係るスケジュールコントローラの、シーン情報を再現するときの動作の一例を示す図である。
【図６】実施の形態に係るスケジュールコントローラの、シーン情報及びスライドショー情報を再現するときの動作の一例を示す図である。
【図７】実施の形態に係るスケジュールコントローラの、シーン情報及びスライドショー情報を再現するときの動作の他の一例を示す図である。
【発明を実施するための形態】
【００１１】
以下では、本発明の実施の形態に係るスケジュールコントローラ、照明システム及び照明制御方法について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
以下、実施の形態について、図１から図７を用いて説明する。
【００１４】
［照明システムの構成］
図１は、実施の形態に係る照明システムの構成図である。
【００１５】
図１に示されるように、照明システム１は、スケジュールコントローラ１０、照明器具２０及びスイッチ３０を備える。照明システム１では、スケジュールコントローラ１０は、少なくとも１台の照明器具２０の点灯状態として例えば調光率及び色温度を示すシーン情報をユーザの指示に従って登録し、登録されたシーン情報が示す点灯状態を時刻とシーン情報とが対応づけられたスケジュールに応じて再現する。また、スケジュールには、さらに、時刻とスライドショー情報とが対応付けられている。シーン情報については、後述する図２で詳細に説明する。スライドショー情報については、後述する図３で詳細に説明する。
【００１６】
スケジュールは、例えば、設定器（図示せず）でスケジュールを示す情報として設定される。設定器は、例えば、携帯端末若しくはタブレット等の端末装置、リモコン、または、ＰＣ（Ｐｅｒｓｏｎａｌ  Ｃｏｍｐｕｔｅｒ）等である。スケジュールを示す情報は、例えばユーザによって所定のシーン情報の再現を開始する開始時刻及び終了する終了時刻が指定されて設定される。同様に、スケジュールを示す情報は、例えばユーザによって所定のスライドショー情報の再現を開始する開始時刻及び終了する終了時刻が指定されて設定される。そして、スケジュールを示す情報は、スケジュールコントローラ１０に送信され、例えばスケジュールコントローラ１０が備える記憶部に登録される。設定器は、スケジュールコントローラ１０と例えば無線で通信するが、有線で通信してもよい。
【００１７】
スケジュールコントローラ１０は、少なくとも１台の照明器具２０（本実施の形態では、複数の照明器具２０ａ〜２０ｎ）の点灯状態を制御する。スケジュールコントローラ１０は、照明器具２０と例えば無線で通信するが、有線で通信してもよい。スケジュールコントローラ１０は、照明器具２０の点灯状態を示すシーン情報をユーザの操作に従って登録する。スケジュールコントローラ１０は、例えば、ユーザの操作に従って設定器で設定されたシーン情報を、設定器から受け付ける。そして、スケジュールコントローラ１０は、設定器から受け付けたシーン情報を例えば記憶部に登録する。また、スケジュールコントローラ１０は、登録された複数のシーン情報のそれぞれが示す点灯状態を再現する時間と、順序とを示すスライドショー情報をユーザの操作に従って登録する。同様に、スケジュールコントローラ１０は、例えば、ユーザの操作に従って設定器で設定されたスライドショー情報を、設定器から受け付ける。そして、スケジュールコントローラ１０は、設定器から受け付けたスライドショー情報を例えば記憶部に登録する。
【００１８】
スケジュールコントローラ１０は、登録されたシーン情報またはスライドショー情報を例えば記憶部から呼び出す。スケジュールコントローラ１０は、呼び出した情報がシーン情報である場合、指定された終了時刻までシーン情報が示す点灯状態を再現する。指定された終了時刻とは、例えば、スケジュールを示す情報においてユーザによって指定された終了時刻である。一方、呼び出した情報がスライドショー情報である場合、スケジュールコントローラ１０は、スライドショー情報が示す複数のシーン情報のそれぞれが示す点灯状態を、スライドショー情報が示す順序に応じて、それぞれスライドショー情報が示す時間の間再現することを、指定された終了時刻まで繰り返す。スケジュールコントローラ１０の動作については、後述する図４〜図７で詳細に説明する。
【００１９】
照明器具２０は、出力する光の調光及び調色が可能な照明器具である。照明器具２０は、照明器具２０が備える光源の光出力がスケジュールコントローラ１０に調整されることで調光率を変化させて調光する。また、照明器具２０は、例えば、青色ＬＥＤ及び黄色蛍光体で構成された色温度の異なる光源を複数備え、それぞれの光源の光出力の比がスケジュールコントローラ１０に調整されることで照明器具２０が出力する光の色温度を変化させて調色する。なお、照明器具２０は、例えば、赤色ＬＥＤ、緑色ＬＥＤ及び青色ＬＥＤで構成された光源を備えてもよく、赤色ＬＥＤ、緑色ＬＥＤ及び青色ＬＥＤの光出力の比が調整されることで照明器具２０が出力する光の色温度を変化させて調色してもよい。また、照明器具２０は、例えば、近紫外ＬＥＤ及びＲＧＢ蛍光体で構成された光源を複数備えてもよく、それぞれの光源の光出力の比が調整されることで照明器具２０が出力する光の色温度を変化させて調色してもよい。つまり、照明器具３０は、色温度を変化させることができる照明器具であればよい。
【００２０】
スイッチ３０は、ユーザに操作されることで、スケジュールコントローラ１０に所定の動作を行わせる。具体的には、スイッチ３０が操作された場合、スケジュールコントローラ１０はスライドショー情報を呼び出す。スイッチ３０は、例えば、スケジュールコントローラ１０に備えられる。スイッチ３０が操作されることでスケジュールコントローラ１０に行わせる動作は、例えば設定器によって設定される。
【００２１】
［シーン情報］
次に、スケジュールコントローラ１０が登録するシーン情報について説明する。
【００２２】
シーン情報は、少なくとも１台の照明器具２０の点灯状態を示す情報である。具体的には、シーン情報には、照明器具２０を示す情報と、照明器具２０が出力する光の調光率を示す情報と、照明器具２０が出力する光の色温度を示す情報とが含まれる。より具体的には、図２を用いて説明する。
【００２３】
図２は、実施の形態に係るシーン情報の一例を示す図である。
【００２４】
スケジュールコントローラ１０は、複数のシーン情報を登録する。ここでは、複数のシーン情報のそれぞれを例えばシーン情報１、シーン情報２、シーン情報３、・・・と呼ぶ。シーン情報１には、少なくとも１台の照明器具２０（本実施の形態では、照明器具２０ａ〜２０ｎ）を示す情報と、照明器具２０ａ〜２０ｎそれぞれが出力する光の調光率を示す情報と、照明器具２０ａ〜２０ｎそれぞれが出力する光の色温度を示す情報とが含まれる。例えば、シーン情報１には、照明器具２０ａが調光率１００％で、色温度が３０００Ｋの光を出力することが示される。また、例えば、シーン情報１には、照明器具２０ｂが調光率５０％で、色温度が４０００Ｋの光を出力することが示される。同様に、シーン情報１には、照明器具２０ｃ〜２０ｎがシーン情報１に示される調光率及び色温度の光を出力することが示される。また、シーン情報２、シーン情報３、・・・にも同様に照明器具２０ａ〜２０ｎそれぞれが出力する、光の調光率及び色温度を示す情報が含まれる。これにより、スケジュールコントローラ１０は、シーン情報を呼び出すことで、当該シーン情報に示される照明器具２０ａ〜２０ｎの調光率及び色温度を一括して再現することができる。
【００２５】
シーン情報に含まれる情報は、上述したように例えば設定器で設定される。設定器は、例えば、照明器具２０が出力する調光率及び色温度の組み合わせを１つのシーン情報として設定し、他のシーン情報には、照明器具２０が出力する異なる調光率及び色温度の組み合わせを設定する。そして、設定器は、設定した複数のシーン情報をスケジュールコントローラ１０に送信し、スケジュールコントローラ１０は、複数のシーン情報を例えば記憶部に登録する。これにより、スケジュールコントローラ１０は複数のシーン情報毎に異なる雰囲気の点灯状態を照明器具２０に再現させることができる。
【００２６】
［スライドショー情報］
次に、スケジュールコントローラ１０が登録するスライドショー情報について説明する。
【００２７】
スライドショー情報は、スケジュールコントローラ１０が複数のシーン情報のそれぞれが示す点灯状態を再現する時間と、順序とを示す情報である。具体的には、図３を用いて説明する。
【００２８】
図３は、実施の形態に係るスライドショー情報の一例を示す図である。
【００２９】
スケジュールコントローラ１０は、例えば、複数のスライドショー情報を登録する。ここでは、複数のスライドショー情報のそれぞれを例えばスライドショー情報１、スライドショー情報２、スライドショー情報３、・・・と呼ぶ。例えば、スライドショー情報１には、スケジュールコントローラ１０が、シーン情報１が示す点灯状態を１番目に５秒間再現する情報が含まれる。具体的には、スライドショー情報１には、スケジュールコントローラ１０が、図２に示される照明器具２０ａ〜２０ｎそれぞれが出力する光の調光率及び色温度を１番目に５秒間再現する情報が含まれる。そして、スライドショー情報１には、スケジュールコントローラ１０が、シーン情報１が示す点灯状態を１番目に５秒間再現した後に、シーン情報３が示す点灯状態を２番目に２秒間再現する情報が含まれる。同様に、スライドショー情報１には、スケジュールコントローラ１０が、シーン情報４が示す点灯状態を３番目に１５秒間再現する情報が含まれる。このように、スライドショー情報１には、スケジュールコントローラ１０が、複数のシーン情報のそれぞれが示す点灯状態をスライドショー情報１が示す順序でスライドショー情報１が示す時間ずつ再現していく情報が含まれ、シーン情報２が示す点灯状態を最後のｎ番目に４秒間再現する情報が含まれる。
【００３０】
また、スライドショー情報２、スライドショー情報３、・・・にも同様にスライドショー情報１とは異なる、複数のシーン情報それぞれが示す点灯状態を再現する時間と、順序とを示す情報が含まれる。スライドショー情報に含まれる情報は、上述したように、例えば設定器で設定される。そして、設定器は、設定した複数のスライドショー情報をスケジュールコントローラ１０に送信し、スケジュールコントローラ１０は、複数のスライドショー情報を例えば記憶部に登録する。これにより、スケジュールコントローラ１０は照明器具２０に複数のスライドショー情報毎に異なる点灯状態を短時間で変化させながら再現させることができる。
【００３１】
［スケジュールコントローラの動作］
次にスケジュールコントローラ１０の動作について、図４〜７を用いて説明する。
【００３２】
図４は、実施の形態に係るスケジュールコントローラ１０の動作を示すフローチャートである。なお、ステップＳ１０の前にスケジュールコントローラ１０は、スケジュールを示す情報及びシーン情報を登録している。
【００３３】
まず、スケジュールコントローラ１０は、スライドショー情報をユーザの操作に従って登録する（Ｓ１０）。ユーザは、例えば設定器によって、複数のシーン情報のうち再現したいシーン情報それぞれの再現したい時間と順序とをスライドショー情報として設定し、スケジュールコントローラ１０に送信する。そして、スケジュールコントローラ１０は、設定器から受け付けたスライドショー情報を例えば記憶部に登録する。
【００３４】
次に、スケジュールコントローラ１０は、登録されたシーン情報またはスライドショー情報を呼び出す（Ｓ１１）。スケジュールコントローラ１０は、例えば、タイマを有し、スケジュールに応じた動作することができる。タイマで計時している時刻がスケジュールを示す情報において指定された開始時刻になることで、スケジュールコントローラ１０は、シーン情報またはスライドショー情報を呼び出す。つまり、スケジュールコントローラ１０は、スケジュール（スケジュールを示す情報）に応じてシーン情報またはスライドショー情報を呼び出す。
【００３５】
スケジュールコントローラ１０が呼び出した情報がシーン情報の場合（Ｓ１２でＹｅｓ）、スケジュールコントローラ１０は、指定された終了時刻まで呼び出したシーン情報を再現する（Ｓ１３）。ここで、シーン情報を再現するとは、シーン情報が示す点灯状態を照明器具２０に再現させることである。
【００３６】
スケジュールコントローラ１０が呼び出した情報がシーン情報でない場合（Ｓ１２でＮｏ）、つまり、スケジュールコントローラ１０が呼び出した情報がスライドショー情報の場合、スケジュールコントローラ１０は、所定の終了時刻まで呼び出したスライドショー情報を再現する（Ｓ１４）。ここで、スライドショー情報を再現するとは、スライドショー情報が示す複数のシーン情報のそれぞれが示す点灯状態を、スライドショー情報が示す順序に応じて、それぞれスライドショー情報が示す時間の間再現することを、指定された終了時刻まで繰り返して照明器具２０に再現させることである。
【００３７】
ステップＳ１１〜Ｓ１４の動作については、図５及び図６を用いて詳細に説明する。なお、ステップＳ１１〜Ｓ１４の動作は、例えば、スケジュールコントローラ１０が備えるプロセッサ（図示せず）が行ってもよい。
【００３８】
図５は、実施の形態に係るスケジュールコントローラ１０の、シーン情報を再現するときの動作の一例を示す図である。
【００３９】
図５には、スケジュールを示す情報において、スライドショー情報の再現を開始する開始時刻及び終了する終了時刻が指定されないときのスケジュールコントローラ１０の動作が示される。スケジュールコントローラ１０は、１日のスケジュールとして例えば複数の時刻に異なるシーン情報を再現する。例えば、図５に示されるように、スケジュールコントローラ１０は、スケジュールに応じて０時にシーン情報１を呼び出し、指定された終了時刻（次のシーン情報４の指定された開始時刻）として６時１５分までシーン情報１を再現する。同様にスケジュールコントローラ１０は、６時１５分から１８時３０分までシーン情報４を再現し、１８時３０分から２４時までシーン情報３を再現する。なお、日によって、図５に示される時間帯とは異なる時間帯に、図５に示されるシーン情報とは異なるシーン情報が再現されてもよい。
【００４０】
図６は、実施の形態に係るスケジュールコントローラ１０の、シーン情報及びスライドショー情報を再現するときの動作の一例を示す図である。
【００４１】
図６では、スケジュールコントローラ１０は、スケジュールに応じて登録されたシーン情報またはスライドショー情報を呼び出す。図６では、スケジュールを示す情報において、スライドショー情報１の指定された開始時刻を６時１５分とし、指定された終了時刻を１８時３０分としている。
【００４２】
図６に示されるように、例えば、スケジュールコントローラ１０は、シーン情報１の指定された開始時刻として０時にシーン情報１を呼び出し、シーン情報１の指定された終了時刻として６時１５分までシーン情報１を再現する。
【００４３】
次に、スケジュールコントローラ１０は、スライドショー情報１の指定された開始時刻として６時１５分にスライドショー情報１を呼び出す。スケジュールコントローラ１０は、スライドショー情報１が示す複数のシーン情報のそれぞれが示す点灯状態を、スライドショー情報１が示す順序に応じて、それぞれスライドショー情報１が示す時間の間再現することを、指定された終了時刻として１８時３０分まで繰り返し照明器具２０に再現させる。具体的には、図６に示されるように、スケジュールコントローラ１０は、１番目に、シーン情報１を５秒間再現し、２番目に、シーン情報３を２秒間再現する。そして、スケジュールコントローラ１０は、スライドショー情報１が示す順序でシーン情報を再現していき、ｎ番目にシーン情報２を４秒間再現する。スケジュールコントローラ１０は、スライドショー情報１が示す順序の最後であるｎ番目のシーン情報２を再現した後に、再度１番目のシーン情報１からシーン情報を再現していく。
【００４４】
次に、スケジュールコントローラ１０は、シーン情報３の指定された開始時刻として１８時３０分にシーン情報３を呼び出し、シーン情報３の指定された終了時刻として２４時までシーン情報３を再現する。なお、日によって、異なる時刻に異なるシーン情報またはスライドショー情報が再現されてもよい。
【００４５】
また、スケジュールコントローラ１０は、ユーザによってスイッチ３０が操作された場合に、スライドショー情報を呼び出す。
【００４６】
図７は、実施の形態に係るスケジュールコントローラ１０の、シーン情報及びスライドショー情報を再現するときの動作の他の一例を示す図である。図７には、スイッチ３０が操作された場合のスケジュールコントローラ１０の動作が示されている。また、図７では、スケジュールを示す情報において、スライドショー情報の再現を開始する開始時刻及び終了する終了時刻が指定されていないとする。
【００４７】
図７に示されるように、例えば、スケジュールコントローラ１０は、０時にシーン情報１を呼び出し、６時１５分までシーン情報１を再現する。
【００４８】
次に、スケジュールコントローラ１０は、６時１５分からシーン情報４を再現する。ここで、スケジュールコントローラ１０が１日のスケジュールとしてシーン情報４を再現している場合であっても、スイッチ３０が操作されたとき（例えばスイッチ３０が押しボタン式のスイッチの場合、押下されたとき）には、スケジュールコントローラ１０は、スライドショー情報１を呼び出す。また、スイッチ３０が押下されることでスライドショー情報１が呼び出されているときに、再度スイッチ３０が押下された場合には、スケジュールコントローラ１０は、本来のスケジュールに対応したシーン情報を再現する。例えば、シーン情報４が再現される時間帯である６時１５分から１８時３０分の間にスイッチ３０が再押下された場合、スケジュールコントローラ１０は再度シーン情報４を再現する。例えば、シーン情報３が再現される時間帯である１８時３０分から２４時の間にスイッチ３０が再押下された場合、スケジュールコントローラ１０はシーン情報３を再現する。
【００４９】
また、スイッチ３０が操作されることでスケジュールコントローラ１０に行わせる動作は、上述したように、例えば設定器によって設定される。具体的には、設定器はスイッチ３０が操作されることでスケジュールコントローラ１０がスライドショー情報１を呼び出すように設定し、その設定をスケジュールコントローラ１０に送信する。なお、設定器はスイッチ３０が操作されることでスケジュールコントローラ１０がスライドショー情報１以外のスライドショー情報を呼び出すように設定してもよい。
【００５０】
このように、スケジュールコントローラ１０は、指定された開始時刻またはスイッチ３０が操作された場合に、スライドショー情報を呼び出す。そして、スケジュールコントローラ１０は、スライドショー情報が示す複数のシーン情報のそれぞれが示す点灯状態を、スライドショー情報が示す順序に応じて、それぞれスライドショー情報が示す時間の間再現することを、指定された終了時刻またはスイッチ３０が再度操作されるまで繰り返す。
【００５１】
［効果等］
スケジュールコントローラが照明器具の点灯状態をスケジュールに応じて再現するために、所定の時刻に所定のシーンを再現するための設定がされる。しかしながら、従来のスケジュールコントローラでは、所定数のシーンを、それぞれ秒単位で順番に再現することを所定の時刻まで繰り返すための設定に手間が掛かってしまう。
【００５２】
そこで、本実施の形態に係る照明制御方法は、少なくとも１台の照明器具２０の点灯状態を示すシーン情報をユーザの操作に従って登録し、登録されたシーン情報が示す点灯状態を時刻とシーン情報とが対応付けられたスケジュールに応じて再現する照明制御方法である。照明制御方法は、登録された複数のシーン情報のそれぞれが示す点灯状態を再現する時間と、順序とを示すスライドショー情報をユーザの操作に従って登録するステップと、登録されたシーン情報またはスライドショー情報を呼び出すステップとを含む。呼び出すステップでは、呼び出した情報がシーン情報である場合、指定された終了時刻まで当該シーン情報が示す点灯状態を再現し、呼び出した情報がスライドショー情報である場合、スライドショー情報が示す複数のシーン情報のそれぞれが示す点灯状態を、スライドショー情報が示す順序に応じて、それぞれスライドショー情報が示す時間の間再現することを、指定された終了時刻まで繰り返す。
【００５３】
また、本実施の形態に係るスケジュールコントローラ１０は、少なくとも１台の照明器具２０の点灯状態を示すシーン情報をユーザの操作に従って登録し、登録されたシーン情報が示す点灯状態を時刻とシーン情報とが対応付けられたスケジュールに応じて再現する。スケジュールコントローラ１０は、登録された複数のシーン情報のそれぞれが示す点灯状態を再現する時間と、順序とを示すスライドショー情報をユーザの操作に従って登録する。そして、スケジュールコントローラ１０は、登録されたシーン情報またはスライドショー情報を呼び出す。スケジュールコントローラ１０は、呼び出した情報がシーン情報である場合、指定された終了時刻までシーン情報が示す点灯状態を再現する。スケジュールコントローラ１０は、呼び出した情報がスライドショー情報である場合、スライドショー情報が示す複数のシーン情報のそれぞれが示す点灯状態を、スライドショー情報が示す順序に応じて、それぞれスライドショー情報が示す時間の間再現することを、指定された終了時刻まで繰り返す。
【００５４】
また、本実施の形態に係る照明システム１は、少なくとも１台の照明器具２０と、上記スケジュールコントローラ１０と、を備える。
【００５５】
これにより、スケジュールコントローラ１０が、短時間（例えば秒単位）で繰り返し変化するシーン情報を再現する場合に、ユーザは、時刻に応じて何度も同じシーン情報を設定する必要がない。また、短時間毎に時刻とシーン情報とを対応付ける設定データも必要なくなる。したがって、照明器具の点灯状態を短時間で変化させて再現するための設定の簡略化及び設定データの容量の削減ができる。
【００５６】
また、スケジュールには、さらに、時刻とスライドショー情報とが対応付けられており、スケジュールに応じて、登録されたシーン情報またはスライドショー情報を呼び出す。
【００５７】
これにより、ユーザがスライドショー情報を呼び出す開始時刻をスケジュールにおいて指定することで、指定された開始時刻にスライドショー情報を呼び出すことができる。
【００５８】
また、スイッチ３０が操作された場合、スライドショー情報を呼び出す。
【００５９】
これにより、スケジュールによらず、スイッチ３０が操作されたときに、スライドショー情報を呼び出すことができる。
【００６０】
また、シーン情報には、照明器具２０を示す情報と、照明器具２０が出力する光の調光率を示す情報と、照明器具２０が出力する光の色温度を示す情報とが含まれる。
【００６１】
これにより、照明器具２０の点灯状態として照明器具２０が出力する光の調光率と色温度とを再現することが出来る。
【００６２】
（その他の実施の形態）
以上、本発明に係るスケジュールコントローラ、照明システム及び照明制御方法について、上記実施の形態に基づいて説明したが、本発明は、上記の実施の形態に限定されるものではない。
【００６３】
上記実施の形態では、指定された開始時刻にスライドショー情報が呼び出されたが、これに限らない。例えば、スケジュールではスライドショー情報が再現される時間帯にスケジュールコントローラ１０の電源がオフからオンになった場合、スケジュールコントローラ１０の電源がオンした時刻にスライドショー情報が呼び出されてもよい。このとき、スケジュールコントローラ１０は、呼び出されたスライドショー情報が示す１番目のシーン情報から再現してもよい。
【００６４】
また、上記実施の形態では、シーン情報には、照明器具２０を示す情報と、照明器具２０が出力する光の調光率を示す情報と、照明器具２０が出力する光の色温度を示す情報とが含まれたが、これに限らない。例えば、シーン情報には、照明器具２０を示す情報と、照明器具２０が出力する光の調光率を示す情報だけが含まれてもよい。また、例えば、シーン情報には、照明器具２０を示す情報と、照明器具２０が出力する光の色温度を示す情報だけが含まれてもよい。また、例えば、シーン情報には、照明器具２０を示す情報と、照明器具２０が出力する光の調光率を示す情報と、照明器具２０が出力する光の色温度を示す情報との他に、照明器具２０のその他の光特性に関する情報が含まれてもよい。
【００６５】
また、上記実施の形態では、再現されるシーン情報とシーン情報との変わり目、シーン情報とスケジュール情報との変わり目、または、スケジュール情報が再現されるときに繰り返し再現されるシーン情報とシーン情報との変わり目において、すぐに次のシーン情報が示す点灯状態に切り替えられるが、これに限らない。例えば、上述した変わり目において、次のシーン情報が示す点灯状態に向けて時間とともに段階的にシーン情報が切り替えられてもよい。つまり、上述した変わり目において、フェード時間を設定してもよい。
【００６６】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。例えば、本発明は、上記照明制御方法をコンピュータに実行させるためのプログラムとして実現されてもよい。
【００６７】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６８】
１  照明システム
１０  スケジュールコントローラ
２０、２０ａ、２０ｂ、２０ｃ、２０ｎ  照明器具
３０  スイッチ
【図１】
0006478156.tif 000002
【図２】
0006478156.tif 000003
【図３】
0006478156.tif 000004
【図４】
0006478156.tif 000005
【図５】
0006478156.tif 000006
【図６】
0006478156.tif 000007
【図７】
0006478156.tif 000008